(57)【要約】【課題】  簡単な構成で患者特性を正確に把握できる、医療機関の来院患者特性分析システムの提供。【解決手段】  来院患者の住所データ（緯度・経度値）から、５００ｍ×５００ｍ、あるいは、ｌｋｍ×ｌｋｍのメッシュを単位として、対象とする医療機関を中心とした来院患者の分布状況を自動的に表示する。また、分析結果をもとに、医療機関からの距離に応じた、来院患者の累積割合をグラフ表示し、来院患者の割合に応じた診療圏を把握することができる。本発明のシステムには、来院患者分布分析システム１と診療圏グラフ作成システム９ａ、９ｂが含まれている。【選択図】    図１
2005266854.tif 000002
【特許請求の範囲】
【請求項１】
医療機関に来院している患者の住所に相当する緯度・経度データをメッシュコードに変換する手段と、対象とする医療機関が設置されている地域の基準メッシュコードおよび前記来院患者のメッシュコードに基づき、前記来院患者の分布を分析する来院患者分布分析システム、および診療圏分析結果のグラフを作成する診療圏分析結果のグラフ作成システムとを有することを特徴とする医療機関の来院患者特性分析システム。
【請求項２】
対象とする医療機関が設置されている地域における特定範囲内のメッシュ数および基準メッシュコードを入力する第１の入力手段と、当該医療機関の来院患者の住所を緯度・経度データで入力する第２の入力手段と、前記来院患者住所の緯度・経度データをメッシュコードに変換する手段と、前記来院患者のメッシュ毎の分布分析処理を行う処理手段と、前記来院患者の分布分析結果を表示する表示手段とを有することを特徴とする医療機関の来院患者特性分析システム。
【請求項３】
前記来院患者の分布分析結果を記録紙に出力する出力手段を有することを特徴とする請求項１または請求項２に記載の医療機関の来院患者特性分析システム。
【請求項４】
前記来院患者の分布分析結果の特性図に色付けする色付け手段を有することを特徴とする請求項１ないし請求項３のいずれかに記載の医療機関の来院患者特性分析システム。
【請求項５】
前記来院患者の分布分析結果の特性図は、メッシュ単位で患者数が表記されることを特徴とする請求項１ないし請求項４のいずれかに記載の医療機関の来院患者特性分析システム。
【請求項６】
対象とする医療機関が設置されている地域のメッシュ数および基準メッシュコードを入力する第１の入力手段と、各種メッシュデータを入力する第３の入力手段と、前記メッシュによる診療圏分析処理を行う処理手段と、前記診療圏分析結果の患者特性のグラフを表示する表示手段とを有することを特徴とする医療機関の来院患者特性分析システム。
【請求項７】
前記診療圏分布分析結果を記録紙に出力する出力手段を有することを特徴とする請求項６に記載の医療機関の来院患者特性分析システム。
【請求項８】
対象とする医療機関が設置されている地域のメッシュ数および基準メッシュコードを入力する第１の入力手段と、当該医療機関の来院患者の住所を緯度・経度データで入力する第２の入力手段と、前記緯度・経度データによる患者特性の集計処理を行い、診療圏分析処理を行う処理手段と、前記診療圏分析結果の患者特性のグラフを表示する表示手段とを有することを特徴とする医療機関の来院患者特性分析システム。
【請求項９】
前記診療圏分布分析結果を記録紙に出力する出力手段を有することを特徴とする請求項８に記載の医療機関の来院患者特性分析システム。
【請求項１０】
前記診療圏分析結果の患者特性のグラフに色付けする色付け手段を有することを特徴とする請求項６ないし請求項１０のいずれかに記載の医療機関の来院患者特性分析システム。
【発明の詳細な説明】
【技術分野】
【０００１】
本発明は、医療機関に現在来院している患者特性を簡単な構成で正確に把握できる、医療機関の来院患者特性分析システムに関する。
【背景技術】
【０００２】
病院や診療所のような医療機関を設立する際に、具体的な建築の計画を行う前に、その医療機関の設立予定地にどのような疾患の患者が、どの程度の人数で当該医療機関を利用する可能性があるかという、来院可能な患者の属性を把握しておく必要がある。そこで、当該医療機関の利用者数を予測するための病院利用者数予測システムを、本出願人は特許文献１に開示している。
【０００３】
【特許文献１】特開２００２−２６９２４２号
【０００４】
ところで、既設の医療機関の経営状態を考慮して、増改築などを計画する際には、当該医療機関に現在来院している患者属性についての現状分析が必要になる。すなわち、現在、通院や入院で来院している患者の居住地の分布を把握することが一番の基本となり、病院の診療圏の広がりや地域的な偏りを把握することができる。また、診療科別や疾患別に同様の分析を行うことにより、今後の病院経営の戦略などマーケテイングに応用することが可能となる。
【発明の開示】
【発明が解決しようとする課題】
【０００５】
しかしながら、特許文献１に記載の技術は、患者数などについて医療機関に来院する将来の予測を行うシステムであり、医療機関の現状分析を行う際に対応できないという問題がある。このため、医療機関の前記患者属性についての現状分析は、手作業で行われている。これまでの来院患者特性分析においては、行政区分あるいは医療圏に従った分析を行っていた。そのため、行政区分あるいは医療圏の面積の大小により、病院からどの程度離れた距離の場所から、どのような属性（年齢，疾患など）の患者が来院しているのか、正確な患者の位置や分布を把握することが出来ないという問題があった。また、データの整理、分布図の作成、距離別の来院分析グラフ作成などの分析を手作業で行っていたため、多くの人手と時間がかかるという問題があった。
【０００６】
本発明は、このような問題に鑑みてなされたものであり、簡単な構成で来院している患者特性を正確に把握できる、医療機関の来院患者特性分析システムの提供を目的とする。
【課題を解決するための手段】
【０００７】
このような目的を達成するために、本発明の医療機関の来院患者分析システムは、医療機関に来院している患者の住所に相当する緯度・経度データをメッシュコードに変換する手段と、対象とする医療機関が設置されている地域の基準メッシュコードおよび前記来院患者のメッシュコードに基づき、前記来院患者の分布を分析する来院患者分布分析システム、および診療圏分析結果のグラフを作成する診療圏分析結果のグラフ作成システムとを有することを特徴とする。
【０００８】
また、本発明の医療機関の来院患者分析システムは、対象とする医療機関が設置されている地域における特定範囲内のメッシュ数および基準メッシュコードを入力する第１の入力手段と、当該医療機関の来院患者の住所を緯度・経度データで入力する第２の入力手段と、前記来院患者住所の緯度・経度データをメッシュコードに変換する手段と、前記来院患者のメッシュ毎の分布分析処理を行う処理手段と、前記来院患者の分布分析結果を表示する表示手段とを有することを特徴とする。
【０００９】
また、本発明は、前記来院患者の分布分析結果を記録紙に出力する出力手段を有することを特徴とする。
【００１０】
また、本発明は、前記来院患者の分布分析結果の特性図に色付けする色付け手段を有することを特徴とする。
【００１１】
また、本発明は、前記来院患者の分布分析結果の特性図は、メッシュ単位で患者数が表記されることを特徴とする。
【００１２】
また、本発明の医療機関の来院患者分析システムは、対象とする医療機関が設置されている地域のメッシュ数および基準メッシュコードを入力する第１の入力手段と、各種メッシュデータを入力する第３の入力手段と、前記メッシュによる診療圏分析処理を行う処理手段と、前記診療圏分析結果の患者特性のグラフを表示する表示手段とを有することを特徴とする。
【００１３】
また、本発明は、前記診療圏分布分析結果を記録紙に出力する出力手段を有することを特徴とする。
【００１４】
また、本発明の医療機関の来院患者分析システムは、対象とする医療機関が設置されている地域のメッシュ数および基準メッシュコードを入力する第１の入力手段と、当該医療機関の来院患者の住所を緯度・経度データで入力する第２の入力手段と、前記緯度経度データによる患者特性の集計処理を行い、診療圏分析処理を行う処理手段と、前記診療圏分析結果の患者特性のグラフを表示する表示手段とを有することを特徴とする。
【００１５】
また、本発明は、前記診療圏分布分析結果を記録紙に出力する出力手段を有することを特徴とする。
【００１６】
また、本発明は、前記診療圏分析結果の患者特性のグラフに色付けする色付け手段を有することを特徴とする。
【発明の効果】
【００１７】
本発明においては、次のような特有の効果が得られる。（１）来院患者特性の分析結果により医療機関の現状の評価を行うことができる。一般的に、診療機能が高い医療施設ほど診療圏が広い傾向がある。このため、診療科別、疾患別に分析を行うことにより、対象医療機関がどのような診療領域において評価されているか、また、より強い吸引力を有しているかを評価することができる。さらに、診療科別に診療圏が前記開発済みの患者需要予測システムによる予測より広いかどうかを比較することにより、対象医療機関がどの診療科においてより強い吸引力を有しているかどうかを評価できる。
【００１８】
（２）来院患者特性の分析結果を、医療機関の増改築などの戦略策定へ適用することができる。前記（１）の結果を受けて、対象医療機関が今後特色とすべき診療領域が明らかになる。一方、強化すべき、あるいは場合によっては撤退すべき診療領域が明らかになる。また、前記患者需要予測システムによる今後の需要動向と合わせて、強化すべき診療領域を戦略的に決定することができる。
【発明を実施するための最良の形態】
【００１９】
以下、本発明の実施の形態について、医療機関の中で病院を例にして説明する。本発明においては、来院患者の住所データ（緯度・経度値）から、５００ｍ×５００ｍ、あるいは、１ｋｍ×１ｋｍのメッシュを単位として、対象とする病院を中心とした来院患者の分布状況を自動的に表示することを特徴としている。また、分析結果をもとに、病院からの距離に応じた、来院患者の累積割合をグラフで表示し、来院患者の割合に応じた診療圏を把握することができる。たとえば、来院患者の８０％診療圏は半径１０ｋｍである、などがグラフ表示される。
【００２０】
本発明の医療機関の来院患者特性分析システムには、来院患者分布システムと診療圏グラフ作成システムのサブシステム２つが含まれているが、専用ソフトではなく、汎用ソフトをベースとする統一したインターフェイスを採用している。このため、特別な知識を要することなく、誰もが利用できる構成としている。
【００２１】
ここで、本発明で適用されるメッシュの概念について図７の説明図により説明する。この例は、国勢調査に基づく基準人口データを設定するものである。図７に示すように、経度が１°、緯度が４０′毎に区画した１次メッシュＡ内の基準人口と、１次メッシュＡ内を８×８（約１０ｋｍ四方）に区画した２次メッシュＢの基準人口と、２次メッシュＢを１０×１０（約１ｋｍ四方）に区画した３次メッシュの基準人口と、３次メッシュを２×２（約０．５ｋｍ四方）に区画した４次メッシュの基準人口から構成されている。本発明においては、このような２次、３次のメッシュに当該医療機関の来院患者数を当て嵌めて、種々の解析、作表などを行っている。
【００２２】
図１は、本発明における医療機関の来院患者特性分析システムを示す概略の構成図である。このシステムは、図８のブロック図に示されるような構成としている。図８において、コンピュータで構成される全体のシステム２０は、ＣＰＵ２１、ＲＯＭ２２、ＲＡＭ２３、インターフェイス回路２４、入力装置２５、モニタやプリンタのような出力装置２６を有している。ＣＰＵ２１は、データ解析やグラフ作成を行う演算処理手段として機能する。ＲＯＭ２２には、システムの処理プログラムが格納されている。ＲＡＭ２３には、各種のデータやテーブルなどが格納されている。入力装置２５、出力装置２６は、インターフェイス回路２４を介して前記ＣＰＵ２１、ＲＯＭ２２、ＲＡＭ２３に接続されている。入力装置２５は、キーボードやマウスなどが用いられる。出力装置２６は、後述する分析結果の特性図やグラフなどをモニタ（表示手段）に表示し、必要な場合にはプリンタ（出力手段）で記録紙にプリントする。
【００２３】
図１には、前記したように、来院患者分布分析システム、診療圏分析グラフ作成システムの各システムからなる本発明の医療機関の来院患者特性分析システムが示されている。
【００２４】
（１）来院患者分布分析システム
このシステムは、（ａ）国土を３次メッシュまたは４次メッシュの小地域（ｌｋｍメッシュや５００ｍメッシュ）に区分した区画に、来院患者のデータ（患者住所地の緯度・経度データ）をもとにしたメッシュ毎の来院患者数の集計を行う。（ｂ）集計結果は設定した２次メッシュ（１０ｋｍ×１０ｋｍ）の範囲について表示され、対象範囲外からの来院患者数も同時に表示される。（ｃ）各メッシュ内の患者数に応じた区分（等間隔分類、標準偏差分類、等量分類、自然分類から選択する。あるいは、区分範囲を独自に設定することも可能）を設定する。（ｄ）それらに対応した色を指定する。このような、（ａ）〜（ｄ）の処理により、患者分布状況を色と数値により把握することができる。
【００２５】
（２）診療圏分析グラフ作成システム
このシステムでは、（ａ）住所による診療圏分析グラフ作成と、（ｂ）メッシュによる診療圏分析グラフ作成を行う。（ａ）住所による診療圏分析グラフ作成は、前記（１）で使用した来院患者のデータ（患者住所地の緯度・経度データ）をもとに、対象とする病院が含まれるメッシュからの距離に応じた診療圏分析のグラフ作成を行う。また、（ｂ）メッシュによる診療圏分析グラフ作成は、国勢調査等のメッシュデータをもとに、対象とする病院が含まれるメッシュからの距離に応じて、メッシュ単位に診療圏分析のグラフ作成を行う。
【００２６】
次に、前記各システムの処理について具体的に説明する。図１において、図示番号１、２、３、６、７の処理は、前記入力手段からの入力処理、番号５、１０の処理は、前記演算処理手段からの出力処理に基づき、分布図やグラフの表示手段への表示、出力手段からの記録紙へのプリントが行われる。番号４、９ａ、９ｂの処理は前記演算処理手段によるシステム処理を示している。１の入力処理は、対象地域の2次メッシュ数（縦の数×横の数）の設定と、基準メッシュコード（対象地域の１次メッシュコード、２次メッシュコード）の設定を行う。
【００２７】
ここで、１次メッシュは前記のように経度が１°、緯度が４０′毎に区画されている。2次メッシュは、（１０ｋｍ×１０ｋｍ）に区画されている。基準メッシュコードは、次のようにして演算される。地域メッシュコードは、第１次地域区画の南端の緯度と西端の経度、及び区画の細分ごとに定められた番号によって構成される。したがって，任意の地点の地域メッッシュコードは、その地点の緯度・経度から算出することができる。また、地域メッシュコードから当該区域の緯度・経度を算出することもできる。
【００２８】
次に、緯度・経度データから当該地点の基準地域メッシュコードを算出する方法を説明する。緯度を「４０分」で割った商をｐとすると、ｐが第１次地域区画を示す数字の上２桁である。上記余りを「５分」で割った商をｑとすると、ｑが第２次地域区画を示す数宇の上１桁である。上記余りを「３０秒」で割った商をｒとすると、ｒが第３次地域区画を示す数字の上１桁である。
【００２９】
経度を「１度」で割った商をＳとすると、（ｓ−１００）が第１次地域区画を示す数宇の下２桁である。上記余りを「７分３０秒」で割った商をｔとすると、ｔが第２次地域区画を示す数字の下１桁である。上記余りを「４５秒」で割った商をｕとすると、ｕが第３次地域区画を示す数字の下１桁である。当該緯度経度データの基準地域メッシュコードは、ｐ（ｓ−１００）ｑｔｒｕの順に組み合わせたものとなる。
【００３０】
上記地域メッシュコードの算出式をまとめると、
緯度÷４０分＝ｐ余りａ、  ｐ＝第１次地域区画を示す数字の上２桁
ａ÷５分＝ｑ余りｂ、      ｑ＝第２次地域区画を示す数宇の上１桁
ｂ÷３０秒＝ｒ余りｘ、    ｒ＝第３次地域区画を示す数宇の上１桁
経度÷１度＝Ｓ余りｃ、  （ｓ―１００）＝第１次地域区画を示す数字の下２桁
ｃ÷７分３０秒＝ｔ余りｄ、ｔ＝第２次地域区画を示す数字の下１桁
ｄ÷４５秒＝ｕ余りｙ、  ｕ＝第３次地域区画を示す数字の下１桁
これより、基準地域メッシュコード＝ｐ（ｓ−１００）―ｑｔ―ｒｕ、で求められる。本発明においては、演算処理手段により患者住所の緯度・経度データを前記演算によりメッシュコードに変換する。この演算は除算と減算の四則演算であり、特別なプログラムを必要とすることなく表計算ソフトなどの汎用ソフトにより簡単に処理できる。
【００３１】
図５、図６は、前記地域メッシュコード作成の具体例を示す説明図である。図５は当該医療機関に来院している患者の住所を緯度・経度データで表したテーブルである。この例では、各患者名は５桁のコードで表示される。このテーブルは、入力手段により患者Ｎｏと住所を入力する。各患者の住所は、既存のソフトにより緯度・経度のデータに変換される。図５のテーブルは適宜のファイル名で記憶手段に記憶される。
【００３２】
図６は、図５の患者テーブルに対応している。図６の例では、図５のテーブルから前記演算により患者の緯度・経度データをメッシュ番号（コード）に変換し、８桁の数字で表示している。同様の処理で当該医療機関の住所から、緯度・経度データ、メッシュ番号（基準メッシュコード）が求められる。基準メッシュコードを中心とした各患者の住所は、図２で説明するようにメッシュ単位で画面上に表示される。図６のテーブルも適宜のファイル名で記憶手段に記憶される。
【００３３】
図１において、２の入力処理は分析データの入力で、緯度・経度データで記憶手段に記憶されている患者住所データを読み出し、演算処理部に入力する。３の入力処理は、各種メッシュデータの入力で、記憶手段に記憶されている国勢調査に基づく当該対象メッシュ内の人口や患者数予測結果などのデータを読み出し、演算処理部に入力する。４は、患者分布分析システムの処理である。このシステムは、１で設定したメッシュ番号に、２で設定した患者住所の緯度・経度データとの対応付けを行う。
【００３４】
５の出力処理は、対象範囲の患者数の分布図を作成する。６の入力処理は、出力データの色付け、データ区分を設定する。７の入力処理は、当該医療機関の住所から基準メッシュを設定する。８のメッシュ色付け処理は、統計的データ区分に応じたメッシュの色付けを行う。９ａの診療圏グラフ作成システムは、メッシュによる診療圏の集計を行う。９ｂの診療圏グラフ作成システムは、緯度・経度データによる診療圏の集計を行う。また、９ｂのシステムでは、緯度・経度データによる２点間の距離計算、距離に応じた度数と累積グラフの作成を行う。１０の出力処理は、来院患者分布図、診療圏分析グラフ（住所による診療圏分析グラフとメッシュによる診療圏分析グラフ）を作成する。
【００３５】
図２は、前記来院患者分布分析の結果の例を示す説明図である。図２に示された説明図には、実際には前記処理８で説明したように色付け処理がなされており、システムの表示手段（モニタ）に表示される。また、必要に応じて出力手段（プリンタ）から記録紙にプリントアウトされる。この例では、３次メッシュの大きさは１ｋｍ×１ｋｍ、２次メッシュの大きさは１０ｋｍ×１０ｋｍである。当該医療機関の位置Ｐを中心として、２次メッシュの範囲を画面に表示している。したがって、Ｌ１は１０ｋｍ、Ｌ２は２０ｋｍの長さに相当する。また、Ｈ１は１０ｋｍ、Ｈ２は２０ｋｍの長さに相当する。
【００３６】
図２の例では、患者数が４０人以上のメッシュａを赤色で、２０人台後半のメッシュｂを橙色で、２０人台前半のメッシュｃを黄色で、１０人以上のメッシュｄを緑色で表示する。また、患者数が９人以下のメッシュは青色で表示する。このように、患者数の分布状況を色分けしたメッシュで画面に表示しているので、視覚により明確に患者数の分布状態の把握ができる。
【００３７】
図３は、患者の住所による診療圏を分析したグラフを示す特性図である。図３では、横軸に当該医療機関からの半径（ｋｍ）を設定する。縦軸は、図の左側に患者数（人）を、図の右側に累積割合（％）を設定する。このシステムでは、対象となる医療機関が含まれるメッシュを指定することにより、そのメッシュの中心点から半径１ｋｍ以内の範囲に含まれるデータを集計する。同様に、２ｋｍ、３ｋｍと１ｋｍ単位で集計を行う。このような処理を行うことにより、医療機関からの距離に応じた患者数の累積割合と、各距離帯に含まれる患者数をグラフで同時に表示することができる。
【００３８】
したがって、当該医療機関における来院患者の住所（病院からの距離）をパラメータとする分布状況が、二つの異なる特性で棒グラフと折れ線グラフで対比させながら視覚により判断できる。この際に、例えば、患者数の累積割合を赤色で、各距離帯に含まれる患者数を紺色でというように、それぞれの特性の色を変えて表示することにより一層明確に患者特性を把握することができる。
【００３９】
図４は、メッシュデータによる診療圏を分析したグラフを示す特性図である。図４においては、メッシュ単位で患者数（人）と累積割合（％）を表示する。例えば、医療機関が含まれるメッシュと、集計の対象とする範囲を指定することにより、１メッシュを単位とした「口」の字形（例えば対象とする医療機関を含むメッシュを取り囲む、画面上の左右上下斜め方向の８メッシュ分）に含まれるデータを集計する。
【００４０】
同様に中心メッシュから、２メッシュ目、３メッシュ目というように、メッシュ単位で集計を行い、医療機関からの距離（メッシュ）に応じた累積割合と各距離帯メッシュに含まれる患者数をグラフ表示する。図３では、対象とする医療機関からの距離をパラメータとしているが、図４では対象とする医療機関からのメッシュ単位の数をパラメータとしている。このため、図４では医療機関からのメッシュ単位の数をパラメータとした患者数の分布を把握することができる。図３と同様に、患者数の特性の色と累積割合の特性の色を変えて表示することにより、明確に患者分布の特性を判断することができる。
【産業上の利用可能性】
【００４１】
以上説明したように、本発明によれば、簡単な構成で来院している患者特性を正確に把握できる、医療機関の来院患者特性分析システムを提供することができる。
【図面の簡単な説明】
【００４２】
【図１】本発明の実施形態に係るシステム構成図である。
【図２】本発明の実施形態に係る特性図である。
【図３】本発明の実施形態に係る特性図である。
【図４】本発明の実施形態に係る特性図である。
【図５】本発明の実施形態に係る説明図である。
【図６】本発明の実施形態に係る説明図である。
【図７】本発明に適用されるメッシュの説明図である。
【図８】本発明のシステム構成を示すブロック図である。
【符号の説明】
【００４３】
１〜３、６、７・・・入力処理、４・・・分布分析システム、５、１０・・・出力処理、８・・・メッシュ色付け処理、９ａ・・・診療圏グラフ作成システム（メッシュ集計）、９ｂ・・・診療圏グラフ作成システム（経度緯度集計）、２０・・・医療機関の来院患者特性分析システム、２１・・・ＣＰＵ、２２・・・ＲＯＭ、２３・・・ＲＡＭ、２４・・・インターフェイス回路、２５・・・入力装置、２６・・・出力装置
【図１】
2005266854.tif 000003
【図２】
2005266854.tif 000004
【図３】
2005266854.tif 000005
【図４】
2005266854.tif 000006
【図５】
2005266854.tif 000007
【図６】
2005266854.tif 000008
【図７】
2005266854.tif 000009
【図８】
2005266854.tif 000010